(57)【要約】【課題】入力ミスの発生を防止し、効率よく振込決済の処理が行える商品代金決済システムを実現する。【解決手段】商品代金決済システムが、商品販売業者の口座を管理する金融機関に設置された上位装置と、この上位装置と通信回線を介して接続する商品販売業者に設置された管理サーバと、上位装置と接続し、購入者が振込決済を行う端末装置とを備え、商品販売業者が商品を販売する際に、その商品代金の振込決済を行うための取引番号を購入者に通知し、購入者が端末装置によって商品代金の振込決済を行う際に、取引番号によって端末装置が該当する振込人情報と商品販売業者の振込先情報とを取得して表示し、購入者の許諾によって商品代金の振込決済を行う。【選択図】　　　　図１
2004086429.tif 000002
【特許請求の範囲】
【請求項１】
商品販売業者の口座を管理する金融機関に設置された上位装置と、該上位装置と通信回線を介して接続する前記商品販売業者に設置された管理サーバと、前記上位装置と接続し、購入者が振込決済を行う端末装置とを備え、
前記商品販売業者が商品を販売する際に、その商品代金の振込決済を行うための取引番号を購入者に通知し、
前記購入者が前記端末装置によって商品代金の振込決済を行う際に、前記取引番号によって前記端末装置が該当する振込人情報と前記商品販売業者の振込先情報とを取得して表示し、購入者の許諾によって商品代金の振込決済を行うことを特徴とする商品代金決済システム。
【請求項２】
請求項１において、
取次業者に取次装置を設け、前記上位装置と前記端末装置とを取次装置を介して接続したことを特徴とする商品代金決済システム。
【請求項３】
請求項２において、
カードによる商品代金の振込決済の際に、前記取次装置が、購入者の口座を管理する金融機関に対して前記上位装置への振込依頼を行うことを特徴とする商品代金決済システム。
【請求項４】
請求項１、請求項２または請求項３において、
前記商品代金の振込決済を行う際に、前記端末装置が振込決済を行うための選択ボタンを表示することを特徴とする商品代金決済システム。
【請求項５】
請求項１から請求項３または請求項４において、
前記取引番号を通知する際に、前記取引番号を記述した光学的読取コードを発行し、前記商品代金の振込決済を行う際に、前記光学的読取コードを端末装置に設けた光学的読取装置によって入力することを特徴とする商品代金決済システム。
【請求項６】
請求項１から請求項４または請求項５において、
前記商品代金の振込決済を行う際に、前記端末装置が、前記取引番号によって前記購入者が購入した商品の商品情報を取得してその内容を表示することを特徴とする商品代金決済システム。
【請求項７】
請求項６において、
前記端末装置が表示した振込人情報と商品情報の特定項目について、購入者が修正可能とし、該修正内容を前記管理サーバへ通知することを特徴とする商品代金決済システム。
【請求項８】
請求項１から請求項６または請求項７において、
前記上位装置が、前記取引番号と共に前記振込決済の終了を前記管理サーバへ通知することを特徴とする商品代金決済システム。
【請求項９】
請求項８において、
前記管理サーバが、前記取引番号に対応させて前記振込決済の決済状況を管理することを特徴とする商品代金決済システム。
【請求項１０】
請求項１から請求項８または請求項９において、
前記上位装置が、前記取引番号に対応させて前記振込決済の決済状況を管理することを特徴とする商品代金決済システム。
【請求項１１】
請求項９または請求項１０において、
前記商品代金の振込決済を行う際に、前記端末装置が、前記取引番号によって前記振込決済の決済状況を取得し、決済が終了している場合にその旨を購入者に通知することを特徴とする商品代金決済システム。
【請求項１２】
請求項１から請求項１０または請求項１１において、
前記取引番号に対応させてパスワードを設定することを特徴とする商品代金決済システム。
【請求項１３】
請求項１２において、
前記パスワードを、購入者が自ら設定することを特徴とする商品代金決済システム。
【請求項１４】
請求項１２において、
前記パスワードを、前記商品販売業者が設定して交付することを特徴とする商品代金決済システム。
【請求項１５】
請求項１２において、
前記パスワードが、購入者の電話番号であることを特徴とする商品代金決済システム。
【請求項１６】
請求項１２から請求項１４または請求項１５において、
前記取引番号を通知する際に、振込先情報を共に通知しておき、前記パスワードが不一致のときに、前記通知された振込先情報によって、商品代金の振込決済を行うことを特徴とする商品代金決済システム。
【請求項１７】
請求項１から請求項１５または請求項１６において、
前記管理サーバが、前記振込人情報と商品情報とを前記取引番号に対応させて登録することを特徴とする商品代金決済システム。
【請求項１８】
請求項１から請求項１５または請求項１６において、
前記上位装置が、前記振込人情報と振込先情報とを前記取引番号に対応させて登録することを特徴とする商品代金決済システム。
【請求項１９】
請求項１８において、
前記上位装置が、更に前記商品情報を前記取引番号に対応させて登録することを特徴とする商品代金決済システム。
【請求項２０】
請求項１から請求項１８または請求項１９において、
前記取引番号に対応させて登録した内容を、商品代金の振込決済の終了以降にその内容の全てあるいは処理済設定を残して消去することを特徴とする商品代金決済システム。
【請求項２１】
請求項１から請求項１８または請求項１９において、
前記取引番号に対応させて登録した内容を、商品代金の振込決済の終了後に、前記商品販売業者からの指示によってその内容の全てあるいは処理済設定を残して消去することを特徴とする商品代金決済システム。
【請求項２２】
請求項１から請求項２０または請求項２１において、
前記取引番号が、前記管理サーバのＩＰアドレスおよび前記商品販売業者の業者コードの少なくとも一方をその構成要素としていることを特徴とする商品代金決済システム。
【請求項２３】
請求項２２において、
前記取引番号の構成要素に、更に前記商品販売業者の口座の金融機関コードを加えることを特徴とする商品代金決済システム。
【請求項２４】
請求項２２または請求項２３において、
前記取引番号を通知する際に、振込先情報を共に通知しておき、前記端末装置が前記取引番号によって前記振込先情報を取得できないときに、前記通知された振込先情報によって、商品代金の振込決済を行うことを特徴とする商品代金決済システム。
【請求項２５】
請求項１から請求項２０または請求項２１において、
前記取引番号が、前記商品販売業者の口座の金融機関コード、支店コードおよび口座番号とを含む組合せによって構成されていることを特徴とする商品代金決済システム。
【請求項２６】
請求項２５において、
前記端末装置が、前記取引番号によって振込先情報を取得できないときに、前記取引番号から振込先を特定し、商品代金の振込決済を行うことを特徴とする商品代金決済システム。
【請求項２７】
請求項１６、請求項２４または請求項２６において、
前記上位装置が、前記振込決済が行われた振込先情報から前記商品販売業者を特定し、その管理サーバへ商品代金の振込決済の終了を通知することを特徴とする商品代金決済システム。
【請求項２８】
請求項１から請求項２０または請求項２１において、
前記取引番号が、購入者毎に設定された個別入金口座番号であることを特徴とする商品代金決済システム。
【請求項２９】
商品販売業者が商品を販売する際に、その商品代金の振込決済を行うための取引番号を購入者に通知し、
前記商品販売業者の口座を管理する金融機関に設置された上位装置と、該上位装置と通信回線を介して接続する前記商品販売業者に設置された管理サーバとを備え、前記上位装置と接続し、前記購入者が振込決済を行う端末装置に、
前記購入者が振込決済を行う際に、前記振込決済を行うための選択ボタンを表示する選択ボタン表示ステップと、
前記取引番号の入力を受付ける取引番号入力受付ステップと、
前記入力された取引番号によって該当する振込人情報と前記商品販売業者の振込先情報とを取得して表示する取得情報表示ステップと、
購入者の振込決済の実行の許諾を受付ける実行許諾受付ステップと、
前記許諾を受付けたときに、前記振込決済の支払処理を実行する支払処理実行ステップとを実行させることを特徴とする商品代金決済システムの端末装置のプログラム。
【請求項３０】
商品販売業者が商品を販売する際に、その商品代金の振込決済を行うための取引番号を購入者に通知し、
前記商品販売業者の口座を管理する金融機関に設置された上位装置と通信回線を介して接続し、前記商品販売業者に設置された管理サーバに、
前記取引番号に対応させて商品を購入した購入者の振込人情報とその商品の商品情報を格納する振込人および商品情報格納ステップと、
前記取引番号によって前記格納した情報の問合があったときに、該当する振込人情報と前記商品販売業者の振込先情報とを返信する振込人および振込先情報返信ステップと、
前記上位装置からの振込決済の終了の通知があったときに、前記取引番号に対応させて格納されている決済状況を更新する決済状況更新ステップとを実行させることを特徴とする商品代金決済システムの管理サーバのプログラム。
【発明の詳細な説明】
【０００１】
【発明の属する技術分野】
本発明は、インターネット等によって購入した商品等の商品代金の支払を金融機関の店舗等の端末装置によって行う商品代金決済システムおよびその端末装置と管理サーバのプログラムに関する。
【０００２】
【従来の技術】
従来、インターネット等で購入した商品、インターネット等で取得した情報や公共料金等のサービスの提供等（以下、商品という。）に対する商品販売業者への対価（以下、商品代金という。）の支払は、インターネット上で行うクレジットカードやデビットカード等による支払、電話料金やプロバイダ料金等に加算することによる支払、電子マネーによる支払等のネット決済や商品到着時に商品代金を支払う代金引換決済または商品代金の銀行振込や郵便振替等による振込決済等によって行われている。
【０００３】
振込決済では、商品販売業者から商品代金の支払用に通知された振込先口座や振込金額等をメモあるいはプリント出力等によって記録し、金融機関や郵便局、コンビニエンスストア等の店舗等に設置されたＡＴＭ等によって振込先口座や振込金額等を入力して振込取引を行い、商品代金の支払が行われる。
【０００４】
【発明が解決しようとする課題】
しかしながら、上述した従来の振込決済においては、ＡＴＭ等による振込決済の際に、振込先口座や振込金額、購入者の氏名等を入力する必要があり、その入力に時間を要するという問題がある。
また、その入力の際に入力ミスが発生して振込決済を行うことができない場合があるという問題がある。
【０００５】
更に、購入者は振込決済の際にその対象となる商品の確認を行うことができないという問題がある。
本発明は、上記の問題点を解決するためになされたもので、入力ミスの発生を防止し、効率よく振込決済の処理が行える商品代金決済システムを実現することを目的とする。
【０００６】
【課題を解決するための手段】
本発明は、上記課題を解決するために、商品代金決済システムが、商品販売業者の口座を管理する金融機関に設置された上位装置と、該上位装置と通信回線を介して接続する前記商品販売業者に設置された管理サーバと、前記上位装置と接続し、購入者が振込決済を行う端末装置とを備え、前記商品販売業者が商品を販売する際に、その商品代金の振込決済を行うための取引番号を購入者に通知し、前記購入者が前記端末装置によって商品代金の振込決済を行う際に、前記取引番号によって前記端末装置が該当する振込人情報と前記商品販売業者の振込先情報とを取得して表示し、購入者の許諾によって商品代金の振込決済を行うことを特徴とする。
【０００７】
また、前記端末装置に前記購入者が振込決済を行う際に、前記振込決済を行うための選択ボタンを表示する選択ボタン表示ステップと、前記取引番号の入力を受付ける取引番号入力受付ステップと、前記入力された取引番号によって該当する振込人情報と前記商品販売業者の振込先情報とを取得して表示する取得情報表示ステップと、購入者の振込決済の実行の許諾を受付ける実行許諾受付ステップと、前記許諾を受付けたときに、前記振込決済の支払処理を実行する支払処理実行ステップとを実行させることを特徴とする。
【０００８】
更に、前記管理サーバに、前記取引番号に対応させて商品を購入した購入者の振込人情報とその商品の商品情報を格納する振込人および商品情報格納ステップと、前記取引番号によって前記格納した情報の問合があったときに、該当する振込人情報と前記商品販売業者の振込先情報とを返信する振込人および振込先情報返信ステップと、前記上位装置からの振込決済の終了の通知があったときに、前記取引番号に対応させて格納されている決済状況を更新する決済状況更新ステップとを実行させることを特徴とする。
【０００９】
【発明の実施の形態】
以下に、図面を参照して本発明による商品代金決済システムの実施の形態について説明する。
第１実施の形態例
図１は本発明の第１実施の形態を示すブロック図である。
【００１０】
１は購入者が使用するパーソナルコンピュータ等の接続端末であり、インターネットと接続可能に構成されている。
２はＷＷＷサーバ（以下、ウェブサーバという。）であり、商品販売業者に設置され、インターネット上にネットショッピング用の販売店を開設しており、商品販売業者が販売する商品のカタログや購入予約の入力画面等を表示するウェブページを格納したコンテンツファイル３を保有している。
【００１１】
４は管理サーバであり、商品販売業者に設置され、ウェブサーバ２とＬＡＮ（Ｌｏｃａｌ　Ａｒｅａ　Ｎｅｔｗｏｒｋ）等で接続しており、ウェブサーバ２で購入予約を受付けた商品の商品情報等を格納する購入予約ファイル５を保有している。
６は上位装置であり、商品販売業者が口座を開設している金融機関に設置されているホストコンピュータであり、口座を開設している個人や商品販売業者等の法人の口座を管理する顧客情報ファイル７を保有している。
【００１２】
８は端末装置であり、上位装置６と接続しており、金融機関の営業店や無人ブースおよびコンビニエンスストア等の店舗に設置されたＡＴＭやマルチメディア端末等の無人端末であり、通常のＡＴＭあるいはＡＴＭと同等の機能を有している。
なお、上記の管理サーバ４と上位装置６は、専用回線や公衆網、衛星網、共同ネットワーク網、インターネット等の通信回線９によって相互にデータ通信可能に接続されている。
【００１３】
また、接続においては、プロトコルの変換を行うゲートウェイ装置やセキュリティ対応を行うファイアオール等が適所に配置されている。
上述した構成の作用について、図２および図３に示すフローチャートを用い、Ｓで示すステップに従って説明する。
図２は、購入者がインターネットによって商品販売業者から商品を購入する場合の購入予約処理を示すフローチャートである。
【００１４】
Ｓ１、購入者が接続端末１によってインターネットを経由して商品販売業者のウェブサーバ２に接続すると、接続端末１の画面にはウェブサーバ２のコンテンツファイル３に格納されているウェブページの中から初期画面が表示され、購入者は画面の指示に従って商品販売業者が販売する商品のカタログ等を表示するウェブページを表示して希望する商品を選択する。
【００１５】
Ｓ２、購入者が商品を選択したことを認識したウェブサーバ２は、コンテンツファイル３から購入予約の入力画面を表示するウェブページを抽出して接続端末１の画面に表示する。
購入者は購入予約の入力画面の指示に従って、購入予約する商品の商品名（および／もしくは商品コード）、数量、送付先等の商品情報および購入者の氏名（または名称）、住所、電話番号（加入電話および／もしくは携帯電話等）、メールアドレス等の購入者情報を入力する。
【００１６】
Ｓ３、購入予約の入力を認識したウェブサーバ２は、商品名または商品コードから商品単価を抽出して数量を乗じ、これに送付手数料等を加えて商品代金を算出し、入力された商品情報と購入者情報および商品代金等を表示したウェブページを接続端末１に表示する。
購入者は表示された購入予約の内容を確認して確認操作を行う。
【００１７】
Ｓ４、購入者の確認操作を検知したウェブサーバ２は、ネット決済、代金引換決済、振込決済等の商品代金の決済方法の選択を行うウェブページを接続端末１の画面に表示する。
購入者は決済方法を選択してその決済方法を入力する。本実施の形態では振込決済が選択される。
【００１８】
Ｓ５、ウェブサーバ２は振込決済が選択されたことを認識してステップＳ６へ移行する。
なお、ウェブサーバ２が振込決済以外の他の決済、つまりネット決済や代金引換決済等が選択されたことを認識した場合は、ウェブサーバ２はこれらの決済の通常の手順に従って決済処理を行う。
【００１９】
Ｓ６、振込決済が選択されたことを認識したウェブサーバ２は、後日に購入者が店舗に設置された端末装置８によって振込決済を行う場合に用いる取引番号を採番する。
この取引番号は、これを発行した商品販売業者が特定できるように商品販売業者に設置された管理サーバ４のＩＰアドレス（Ｉｎｔｅｒｎｅｔ　Ｐｒｏｔｏｃｏｌ　Ａｄｄｒｅｓｓ）または商品販売業者の業者コードと購入予約がなされた順序を表す取引通番との組合せ、これらと商品販売業者の口座の金融機関コードとの組合せによって構成される。
【００２０】
または、商品販売業者の口座の金融機関コードと支店コードおよび口座番号と取引通番との組合せによって構成される。
具体的には、管理サーバ４のＩＰアドレスと取引通番、商品販売業者の業者コードと取引通番、管理サーバ４のＩＰアドレスと商品販売業者の口座の金融機関コードと取引通番、商品販売業者の業者コードと商品販売業者の口座の金融機関コードと取引通番、または商品販売業者の口座の金融機関コードと支店コードと口座番号と取引通番との組合せ等によって構成される。
【００２１】
この場合に、取引番号は上記の組合せのＩＰアドレスや金融機関コード、取引通番等の構成要素を連続して記述するようにしてもよく、構成要素の間に「−」等の記号を挿入して例えば、「ＩＰアドレス」−「取引通番」のように記述するようにしてもよい。
また、各構成要素の記述は数字のみで記述してもよく、アルファベット文字等の記号を含めて記述するようにしてもよい。
【００２２】
更に、取引番号の先頭または末尾に、本商品代金決済システムによる振込決済であることを示す識別子を付加するようにしてもよい。
更に、取引番号は上記の構成によらず、取引番号としては別の番号を設定し、この別に設定された取引番号に上記の構成による番号を裏番号として付随させて管理するようにし、取引番号からそれに付随する裏番号を取得して用いるようにしてもよい。
【００２３】
Ｓ７、取引番号の採番を終えたウェブサーバ２は、振込決済による購入予約を受付けた旨、採番した取引番号および購入者情報や商品情報等を表示したウェブページを接続端末１の画面に表示して取引番号と共に購入予約の受付内容を購入者に通知する。
購入者は取引内容のプリント機能による出力あるいは表示された接続端末１の画面のハードコピー等によって取引番号等の控えを作成する。
【００２４】
なお、この取引番号は、接続端末１等によって購入した商品の照会や取消等を行う場合にも使用される。
Ｓ８、購入予約の受付内容の通知を終えたウェブサーバ２は、取引番号、商品代金、商品情報および購入者情報をＬＡＮ等で接続している管理サーバ４へ送付する。
【００２５】
この送付を受けた管理サーバ４は、商品代金を振込金額としてこれと購入者情報とによって振込人情報を作成し、この振込人情報と商品情報とを取引番号に対応させて購入予約ファイル５に格納して購入予約を仮登録する。
なお、ウェブサーバ２が管理サーバ４へ送付する商品情報に購入者が購入した商品の画像データを追加するようにしてもよい。
【００２６】
Ｓ９、購入予約を仮登録した管理サーバ４は、随時または定期的に振込人情報に含まれる購入者のメールアドレスに宛てて購入予約の確認メールを送信し、購入者はメールを受信したときにこの内容を確認する。
Ｓ１０、管理サーバ４は、購入者の確認応答を認識したときに、購入予約ファイル５の取引番号に対応させて「決済未」とした決済状況を追加して登録し、購入予約処理を終了させる。
【００２７】
なお、購入予約の登録の際に、この購入予約が振込決済によって商品代金の決済が行われる旨の識別子を添付して登録するようにしてもよい。
このようにして商品の購入予約の登録が行われる。
なお、上記ステップＳ９、Ｓ１０を省略してステップＳ８における仮登録の時に「決済未」とした決済状況を追加して本登録とするようにしてもよい。
【００２８】
図３は、上記のようにして商品の購入予約を行った購入者が、店舗に設置された端末装置８を用いて商品代金の振込決済を行う場合の代金支払処理を示すフローチャートである。
なお、商品販売業者は、その口座を管理する金融機関と本実施の形態の商品代金決済システムに関する契約を行い、取引番号を発行した商品販売業者を特定するための商品販売業者の業者コードや管理サーバ４のＩＰアドレス、口座番号等が予め金融機関の上位装置６に登録されている。
【００２９】
本実施の形態では、取引番号として業者コードと取引通番で構成された取引番号が用いられる。
Ｓ１１、店舗に設置された端末装置８は、その画面に「お引き出し」「お振り込み」等の通常の選択ボタンに加えて、商品代金を振込決済を行うための「代金支払」ボタンを表示した初期画面を表示して待機している。
【００３０】
購入者は、「代金支払」ボタンを選択する。
なお、この「代金支払」ボタンの表示は、初期画面を通常の取引選択画面として表示し、購入者が「お振り込み」ボタンを選択した後に表示するようにしてもよい。
Ｓ１２、「代金支払」ボタンが選択されたことを認識した端末装置８は、その画面に取引番号の入力画面を表示する。
【００３１】
この入力画面には、テンキーやアルファベット文字等の入力ボタンと取引番号の入力欄等が表示される。
購入者は、控え等によって入力画面から取引番号を入力する。
Ｓ１３、取引番号の入力を認識した端末装置８は振込取引に必要な情報を取得する。
【００３２】
すなわち、端末装置８は認識した取引番号を上位装置６へ送信し、これを受信した上位装置６は取引番号に含まれる業者コードを基に予め登録されている業者コードを参照して商品販売業者を特定し、その商品販売業者の管理サーバ４へ通信回線９を介して取引番号を添付した振込必要情報送付依頼を送信する。
振込必要情報送付依頼を受信した管理サーバ４は、添付されている取引番号を基に購入予約ファイル５を検索して該当する取引番号を抽出し、これに対応して登録されている振込人情報に振込先情報を添付して通信回線９を介して上位装置６へ返信する。
【００３３】
この時、該当する商品情報を添付して返信するようにしてもよく、決済状況（既に振込決済が完了し、データが消去されている場合はその旨の情報）を添付して返信するようにしてもよい。
取引番号に該当する振込人情報等の返信を受けた上位装置６は、これに振込手数料を添付して端末装置８へ送信する。
【００３４】
なお、振込手数料は端末装置８が計算するようにしてもよい。
Ｓ１４、端末装置８は受信した振込人情報等を基に振込決済確認画面を表示する。
振込決済確認画面には、商品販売業者の口座番号や氏名等の振込先情報、振込金額や購入者の氏名等の振込人情報および振込手数料等が表示され、これに加えて購入者が振込決済の許諾を与えるための「確認」ボタン、購入者等の振込人の氏名等を変更するための「修正」ボタン、振込決済を中止するための「取消」ボタン等の選択ボタンが表示される。
【００３５】
購入者は、その内容を確認して振込決済に許諾を与えるときは「確認」ボタンを、振込人の氏名等を変更する必要があるときは「修正」ボタンを、振込決済を中止するときは「取消」ボタンを選択する。
この時、送付された決済状況が「決済済」またはデータが消去されている旨の情報が添付されている場合には、その決済が終了している旨を表示して購入者がその内容を確認した後に処理を終了させるようにする。
【００３６】
また、商品情報が添付されている場合は、商品の品名等の商品情報（商品の画像データが追加されている場合はそれも含む。）を表示するようにする。
この場合に、表示する商品情報は品名に限って表示し、その画面に「詳細」ボタンを表示するようにしてこれが選択された場合に、商品情報を表示した詳細画面を表示して購入者が購入した商品の詳細を参照できるようにしてもよい。
【００３７】
なお、表示される各情報は全てであってもよく、予め設定された項目に限って表示するようにしてもよい。
また、本実施の形態においては表示される氏名や名称、商品名、住所等はカナ表記であるが、これを漢字表記としてもよく、これらを併記または混用するようにしてもよい。
【００３８】
更に、振込決済確認画面に「購入予約取消」ボタンを設け、購入予約の取消を行えるようにしてもよい。
Ｓ１５、端末装置８は、選択されたボタンが「確認」ボタンであれば振込決済に許諾が与えられたとしてステップＳ１８へ、他の選択ボタンであればステップＳ１６へ移行する。
【００３９】
Ｓ１６、端末装置８は、選択されたボタンが「修正」ボタンであればステップＳ１７へ、「取消」ボタンであれば振込決済が中止されたとして処理を終了し、ステップＳ１１へ戻って初期画面を表示して待機する。
Ｓ１７、端末装置８は表示情報の修正処理を行う。
すなわち、端末装置８は、表示した振込人情報（商品情報を表示した場合はそれを含む。）の修正入力を受付けるために、テンキーやカナ文字等の入力ボタンと修正項目の選択および入力欄等を表示した修正入力画面を表示し、購入者は修正する誤入力の内容や振込人の氏名等の項目を選択して入力する。
【００４０】
なお、修正入力画面は、振込人の氏名等の修正可能な修正項目のみを表示するようにしてもよく、振込先情報や振込金額、振込手数料等（商品情報を表示した場合は商品名や数量等を含む。）の修正ができない項目を修正入力ができないようにして共に表示するようにしてもよい。
修正項目の入力が終了すると、端末装置８はステップＳ１４へ戻り、修正された内容を表示した振込決済確認画面を表示する。
【００４１】
この場合に、購入者は修正された振込決済確認画面の内容を再度確認し、再度修正する場合は「修正」ボタンを選択して上記作動を繰返す。
再度修正する必要がない場合は、振込決済に許諾を与えるために「確認」ボタンを選択する。これによって端末装置８はステップＳ１８へ移行する。
Ｓ１８、端末装置８は、振込決済の支払方法を選択するための支払方法選択画面を表示する。
【００４２】
支払方法選択画面には、現金による支払を行うための「現金」ボタン、キャッシュカード等のカードによる支払を行うための「カード」ボタンおよび振込決済を中止するための「取消」ボタンが表示される。
購入者は、希望する支払方法によって「現金」または「カード」ボタンを選択する。なお振込決済を中止するときは「取消」ボタンを選択する。
【００４３】
Ｓ１９、端末装置８は、選択されたボタンが「カード」ボタンであればステップＳ２２へ、他の選択ボタンであればステップＳ２０へ移行する。
Ｓ２０、端末装置８は、選択されたボタンが「現金」ボタンであればステップＳ２１へ、「取消」ボタンであれば振込決済が中止されたとして処理を終了し、ステップＳ１１へ戻って初期画面を表示して待機する。
【００４４】
Ｓ２１、端末装置８は現金による商品代金の支払を実行する。
すなわち、端末装置８は、振込人情報から抽出した振込人氏名または名称（ステップＳ１７で修正されている場合はその氏名または名称）や振込金額等および振込手数料や振込先情報等の振込取引に必要な情報を自動入力すると共に、その画面に現金の投入を促す旨を表示して紙幣および硬貨の入出金口を開放し、購入者は支払のための現金を各入出金口へ投入する。
【００４５】
現金が投入されたことを検知した端末装置８は、各入出金口を閉鎖し、投入された現金を鑑別、計数してその結果を画面に表示する。
この時、画面には計数結果と振込決済を継続するための「確認」ボタンと振込決済を中止するための「取消」ボタンが表示される。
購入者は、振込決済を継続するときは「確認」ボタンを、振込決済を中止するときは「取消」ボタンを選択する。
【００４６】
端末装置８は、選択されたボタンが「取消」ボタンであれば振込決済が中止されたとして投入された現金を排出し、ステップＳ１１へ戻って初期画面を表示して待機する。
選択されたボタンが「確認」ボタンであれば、端末装置８は投入された現金を収納し、釣銭が必要な場合はその額の現金を繰出して各入出金口から排出する一方、端末装置８は取引番号に商品代金の支払が現金で行われた旨、自動入力した振込取引に必要な情報等を添付して上位装置６へ送信する。
【００４７】
これを受信した上位装置６は、添付されている振込先情報から顧客情報ファイル７の該当する商品販売業者の口座を特定してその口座へ振込金額を入金する。
この入金が終了すると、上位装置６は現金による振込決済が終了した旨を端末装置８へ送信する。
Ｓ２２、端末装置８はカードによる商品代金の支払を実行する。
【００４８】
すなわち、端末装置８は、振込人情報から抽出した振込人氏名または名称（ステップＳ１７で修正されている場合はその氏名または名称）や振込金額等および振込手数料や振込先情報等の振込取引に必要な情報を自動入力すると共に、その画面にカードの挿入を促す旨を表示し、購入者は支払のためのカードをカード挿入口へ挿入する。
【００４９】
カードが挿入されたことを検知した端末装置８は、挿入されたカードのカード情報を読取る一方、その画面に暗証番号の入力画面を表示する。
購入者の暗証番号の入力が終了すると、端末装置８は取引番号にカード情報と暗証番号および自動入力した振込取引に必要な情報等を添付して上位装置６へ送信する。
【００５０】
これを受信した上位装置６は、カード情報と暗証番号から顧客情報ファイル７の該当する購入者の口座と、添付されている振込先情報から顧客情報ファイル７の該当する商品販売業者の口座とを特定し、購入者の口座から振込金額と振込手数料を引落し、振込金額を商品販売業者の口座へ入金する。
この入金が終了すると、上位装置６はカードによる振込決済が終了した旨を端末装置８へ送信する。
【００５１】
なお、購入者の残高が振込金額等に満たない場合は、取引不可としてその旨を端末装置８へ送信する。
Ｓ２３、端末装置８は、上位装置６からの送信がカードによる振込決済が終了した旨であればステップＳ２４へ、取引不可の旨であればその内容を表示し、購入者がその内容を確認した後にステップＳ１８へ移行し、購入者は支払方法を変更する、または「取消」ボタンを選択して振込取引を終了させる。
【００５２】
Ｓ２４、端末装置８は、振込決済の内容を印刷した受領書およびカードによる振込決済の場合はカードも添えて排出する。
端末装置８は購入者がこれを受取ったことを確認してステップＳ１１へ戻り、初期画面を表示して待機する。
このようにして、振込決済による代金支払処理が行われる。
【００５３】
振込決済による代金支払処理の終了後、上位装置６は商品販売業者の管理サーバ４へ取引番号と共に商品代金の振込決済が終了した旨を決済終了通知として通知する。
この場合に、ステップＳ１７で振込人情報や商品情報の内容が修正されている場合は、その内容も合わせて通知する。
【００５４】
決済終了通知を受信した管理サーバ４は、購入予約ファイル５から該当する取引番号を抽出し、その決済状況を「決済済」に更新する。
また、購入予約ファイル５に格納されている取引番号に対応させて登録された振込人情報や商品情報、決済状況等の内容は、商品販売業者による個々、複数もしくは全ての消去指示によって消去され、購入予約ファイル５が更新される。
【００５５】
なお、購入予約ファイル５に格納されている取引番号に対応させて登録された内容を決済終了通知を受信した以降、直ちにもしくは一定期間経過後に自動的に消去するようにしてもよい。
また、取引番号に対応させて登録された内容の消去は、その全てまたは処理済設定として取引番号に対応させて決済日時、その金額等の所定の項目のみを残して消去するようにしてもよく、別の記憶装置にその全てまたは処理済設定を複写した後に消去するようにしてもよい。
【００５６】
以上説明したように、本実施の形態では、商品販売業者が取引番号を通知し、購入者が振込決済を行うときに端末装置が取引番号によって振込人情報と振込先情報を取得するようにし、購入者は取引番号のみを入力して許諾を与えれば端末装置が自動的に振込決済を実行するようにしたことによって、振込決済の入力に要する時間を省略でき、端末装置の振込決済の処理効率を向上することができると共に、入力ミス等の発生を防止することができる。
【００５７】
また、インターネット上で商品の購入を行い、現金自動取引装置等の端末装置用いて簡便な方法での商品代金の振込決済が行えるようにしたことによって、インターネットにカード情報を流すことなくカード決済を行うことができ、インターネット商取引の利用者層の拡大や電子商取引の増加を図ることができる。
更に、商品代金の振込決済を行う際に、振込決済を行うための「代金支払」ボタンを表示するようにしたことによって、購入者が本商品代金決済システムの振込決済を容易に選択することが可能となる。
【００５８】
更に、端末装置が取得した商品情報を表示するようにしたことによって、購入者は振込決済の際にその対象となる商品の確認を行うことができ、購入者の支払内容に対する不安感を払拭することができると共に購入者の利便性を向上することができる。
更に、商品代金の振込決済を行う際に、端末装置がその決済状況等を取得して決済が終了している場合に振込決済を終了させるようにしたことによって、商品代金の２重振込を防止することができる。
【００５９】
更に、振込人情報や商品情報の内容を修正可能としたことによって、誤入力の内容や振込人の氏名等を修正することが容易に行えるようになり、購入者の利便性を向上することができる。
更に、上記の修正内容を商品販売業者へ通知するようにしたことによって、商品販売業者と購入者の無用のトラブルを未然に防止することが可能となる。
【００６０】
更に、取引番号に対応させて登録した内容を商品代金の振込決済の終了以降に消去するようにしたことによって、購入予約ファイルの肥大化を防止して装置の小型化を図ることができる。
更に、商品販売業者の指示によって取引番号に対応させて登録した内容を消去するようにしたことによって、商品販売業者の業務に即して購入予約ファイルの整理が可能となり、商品販売業者の業務効率を向上することができる。
【００６１】
更に、取引番号を商品販売業者の業者コードや管理サーバのＩＰアドレスを構成要素として構成するようにしたことによって、商品販売業者を特定することが容易となり、振込決済に要する処理の短縮を図ることができる。
なお、上記ステップＳ１８において、カードによる振込決済に用いるカードをキャッシュカードとして説明したが、振込決済に用いるカードはクレジットカードやデビットカード、電子マネー等の現金に替えて商品代金の振込決済を行うことができるカード等であればどのようなものを用いるようにしてもよい。
【００６２】
この場合に、表示される「カード」ボタンの近傍に上記のカードの種類を選択するための副選択ボタンを同時に表示するようにしてもよく、「カード」ボタン選択後の次画面にカードの種類を選択する選択ボタンを表示するようにしてもよい。
なお、それぞれのカードによる振込決済の処理は、それぞれのカードの振込取引における処理手順で実行されるが、振込先情報等の振込取引に必要な情報は自動的に入力されため、その手順は省略される。
【００６３】
以下に、第１実施の形態の他の態様について説明する。
商品代金決済システムの構成（図１）および購入予約処理（図２）と代金支払処理（図３）の作動は第１実施の形態例と同様である。
この態様においては、通信回線９の故障等によって端末装置８が取引番号によって振込先情報を取得できない場合の実施の態様について説明する。
【００６４】
本実施の態様では、取引番号として商品販売業者の口座の金融機関コードと支店コードと口座番号と取引通番とで構成される取引番号が使用される。
通信回線９や管理サーバ４の故障等によって商品販売業者の管理サーバ４への振込必要情報送付依頼の送信が不可能な場合は、以下のようにして振込決済が行われる。
【００６５】
ステップＳ１３において、上位装置６は管理サーバ４への送信が不可能と判断した場合は、取引番号から金融機関コードと支店コードと口座番号とを抽出し、これを基に保有する顧客情報ファイル７を検索して該当する商品販売業者の口座を特定し、振込先の氏名または名称を認識する。
これによって、振込先情報を作成してこれに管理サーバ４への接続ができない旨等を添付して端末装置８へ送信する。
【００６６】
ステップＳ１４において、端末装置８は管理サーバ４への接続ができない旨が添付されている場合は、振込決済確認画面にその旨と振込先情報および振込人氏名や振込金額等の入力を促す文言とその入力欄、テンキーやカナ文字等の入力ボタン、購入者が入力内容を確認して振込決済の許諾を与えるための「確認」、振込人の氏名等の誤入力を変更するための「修正」、振込決済を中止するための「取消」等の選択ボタンを表示する。
【００６７】
購入者はこれに従って、振込人氏名や振込金額等を入力し、その入力内容を確認して「確認」ボタンを選択する。
なお、「修正」「取消」ボタンが選択された場合は、上記第１実施の形態例と同様である。
その後の作動は、第１実施の形態例と同様であるが、受領書には管理サーバ４への接続ができない場合の振込決済であった旨が印刷される。
【００６８】
代金支払処理が終了すると、上位装置６はこの振込決済の内容を一時保存し、故障等が復旧したときに、商品販売業者の管理サーバ４へ取引番号と共に商品代金の振込決済が終了した旨を決済終了通知として通知する。
なお、正常時のステップＳ１３における、商品販売業者の特定は、上記と同様に行ってもよく、予めこの構成の取引番号と商品販売業者とを対応させて上位装置６に登録するようにしておいてもよい。
【００６９】
このように、本実施の態様においては、第１実施の形態例の効果に加えて、何らかの原因で商品販売業者との接続が不可能な場合においても、処理を中止することなく振込決済を行うことができると共に、商品代金決済システムの不具合による購入者への影響の最小化を図ることができる。
なお、第１実施の形態例と同様の取引番号、つまり業者コードまたは管理サーバ４のＩＰアドレスを構成要素とした取引番号を用いる場合は、ステップＳ７において、購入者へ取引番号を通知する際に、振込先情報を接続装置１の画面に表示して共に通知しておき、取引番号によって振込先情報を取得できない場合にステップＳ１４において、通常の振込取引の入力画面を表示して購入者が通知された振込先情報等を入力して振込決済を行い、上位装置６が振込決済が行われた振込先情報によって保有する顧客情報ファイル７を検索して該当する商品販売業者の口座を特定して振込先の氏名または名称を認識し、これを振込決済の内容と共に一時保存して故障等の復旧時に商品販売業者の管理サーバ４へ取引番号と共に決済終了通知を送信するようにする。
【００７０】
これによって、前記と同様の効果を得ることができる。
第２実施の形態例
図４は、第２実施の形態を示すブロック図である。
なお、上記第１実施の形態例と同様の部分は、同一の符号を付してその説明を省略する。
【００７１】
１１は回収サーバであり、信販会社等の代行回収業者に設置され、商品販売業者の管理サーバ４および金融機関の上位装置６と通信回線９を介して接続している。
１２は回収サーバ１１が保有する回収情報ファイルであり、商品販売業者から商品代金の回収を委託された振込決済される振込人情報等が格納される。
【００７２】
上記の構成の作用について説明する。
本実施の形態においては、商品販売業者は代行回収業者と商品代金の回収を委託する旨の契約を行っている。
また、取引番号は上記第１実施の形態例の商品販売業者の業者コードや管理サーバ４のＩＰアドレスの替えて、代行回収業者の業者コードや回収サーバ１１のＩＰアドレスがその構成要素として用いられ、これが上位装置６に予め登録されている。本実施の形態では代行回収業者の業者コードと取引通番で構成された取引番号が用いられる。
【００７３】
購入者がインターネットによって商品販売業者から商品を購入する場合の作動は、第１実施の形態例と同様であるので、その説明を省略する。
購入予約処理が終了すると、商品販売業者の管理サーバ４は、振込決済のために購入予約ファイル５に登録した振込人情報と商品情報に取引番号と振込先情報を添付して随時または定期的に通信回線９を経由して代行回収業者の回収サーバ１１へ送信する。
【００７４】
これを受信した回収サーバ１１は、受信した振込人情報と振込先情報および商品情報を取引番号に対応させ、「決済未」とした決済状況を追加して回収情報ファイル１２に格納して登録する。
商品の購入予約を行った購入者が、店舗に設置された端末装置８を用いて商品代金の振込決済を行う場合の作動は、第１実施の形態例のステップＳ１３において、上位装置６が送信する振込必要情報送付依頼は、代行回収業者の回収サーバ１１へ送信され、回収サーバ１１が取引番号を基に該当する取引番号を抽出し、これに対応して登録されている振込人情報と振込先情報を返信する以外は第１実施の形態例の作動と同様であるので、その説明を省略する。
【００７５】
振込決済による代金支払処理が終了すると、上位装置６は代行回収業者の回収サーバ１１へ取引番号と共に商品代金の振込決済が終了した旨を決済終了通知として通知する。
決済終了通知を受信した回収サーバ１１は、これを商品販売業者の管理サーバ４へ転送する。
【００７６】
決済終了通知を受信した回収サーバ１１と管理サーバ４は、回収情報ファイル１２と購入予約ファイル５から該当する取引番号を抽出し、その決済状況を「決済済」に更新する。
なお、両サーバに取引番号に対応させて登録された内容の消去の作動は、上記第１実施の形態例と同様である。
【００７７】
このように、本実施の形態では、第１実施の形態例の効果に加えて、代行回収業者によって商品代金の回収が行われるため、金融機関の上位装置に登録される業者コード等の数を低減することができ、上位装置の記憶容量の肥大化を防止することができる。
第３実施の形態例
図５は本発明の第３実施の形態を示すブロック図である。
【００７８】
なお、上記第１実施の形態例と同様の部分は、同一の符号を付してその説明を省略する。
１５は上位装置６が保有する販売予約ファイルであり、商品販売業者の管理サーバ４から送信された振込決済される振込人情報と振込先情報および商品情報が取引番号に対応させて格納されている。
【００７９】
なお、本実施の形態の端末装置８には、通常のＡＴＭの機能に加えて光学的読取コードとしてのバーコード等を読取る光学的読取装置が備えられている。
上記の構成の作用について、図６、図７に示すフローチャートを用い、Ｓで示すステップに従って説明する。
図６は、購入者がインターネットによって商品販売業者から商品を購入する場合の購入予約処理を示すフローチャートである。
【００８０】
なお、ステップＳ３１〜Ｓ３６の作動は、上記第１実施の形態例のステップＳ１〜Ｓ６の作動と同様であるので、その説明を省略する。
Ｓ３７、取引番号の採番を終えたウェブサーバ２は、購入者を確認するためのパスワードを入力するためのウェブページを接続端末１の画面に表示して購入者にパスワードの入力を促す。
【００８１】
購入者はこれに従って、パスワードを自ら設定して入力する。
なお、このパスワードは商品販売業者のウェブサーバ２が自動的に設定して交付するようにしてもよく、購入者の加入電話または携帯電話の電話番号パスワードとして使用するようにしてもよい。
Ｓ３８、パスワードの入力を認識したウェブサーバ２は、振込決済による購入予約を受付けた旨、取引番号、取引番号を記述したバーコード、パスワードおよび購入者情報や商品情報等を表示したウェブページを接続端末１の画面に表示して取引番号と共に購入予約の受付内容を購入者に通知する。
【００８２】
なお、パスワードの表示は、「＊」等の記号等により表示し、入力内容が視認できないようにしてもよい。
購入者は取引内容のプリント機能による出力あるいは表示された接続端末１の画面のハードコピー等によって取引番号やバーコード、パスワード等の控えを作成する。
【００８３】
Ｓ３９、購入予約の受付内容の通知を終えたウェブサーバ２は、取引番号、パスワード、商品代金、商品情報および購入者情報をＬＡＮ等で接続している管理サーバ４へ送付する。
この送付を受けた管理サーバ４は、商品代金を振込金額としてこれと購入者情報とパスワードとによって振込人情報を作成し、この振込人情報と商品情報とを取引番号に対応させて購入予約ファイル５に格納して購入予約を仮登録する。
【００８４】
Ｓ４０、購入予約を仮登録した管理サーバ４は、随時または定期的に振込人情報に含まれる購入者のメールアドレスに宛てて購入予約の確認メールを送信し、購入者はメールを受信したときにこの内容を確認する。
この時、購入者の携帯電話へのメールに取引番号のバーコードを添付し、購入者はこれを携帯電話に一時保存するようにしてもよい。
【００８５】
Ｓ４１、管理サーバ４は、購入者の確認応答を認識したときに、購入予約ファイル５の振込決済のための購入予約の内容を確定し、該当する振込人情報と商品情報に取引番号と振込先情報を添付して随時または定期的に通信回線９を経由して金融機関の上位装置６へ送信する。
これを受信した上位装置６は、受信した振込人情報と振込先情報および商品情報を取引番号に対応させ、「決済未」とした決済状況を追加して販売予約ファイル１５に格納して登録すると共に、管理サーバ４に対して振込決済のための購入予約の受付を完了した旨の着信応答を送信する。
【００８６】
Ｓ４２、上位装置６からの着信応答を受信した管理サーバ４は、その内容を確認して購入予約処理を終了させる。
このようにして商品の購入予約が上位装置６に登録される。
図７は、上記のようにして商品の購入予約を行った購入者が、店舗に設置された端末装置８を用いて商品代金の振込決済を行う場合の代金支払処理を示すフローチャートである。
【００８７】
なお、商品販売業者は、商品販売業者の口座を管理する金融機関と本商品代金決済システムに関する契約を行い、上記のようにして取引番号に対応させた振込決済のための購入予約を上位装置６が保有する販売予約ファイル１５に登録している。
また、本実施の形態では、上記第１実施の形態例と同様に取引番号として業者コードと取引通番で構成された取引番号が用いられる。
【００８８】
Ｓ５１、上記第１実施の形態例のステップＳ１１の作動と同様であるので、その説明を省略する。
Ｓ５２、「代金支払」ボタンが選択されたことを認識した端末装置８は、その画面に取引番号のバーコード入力を促す旨を表示した入力画面を表示する。
購入者は、取引番号のバーコードをプリント出力もしくはハードコピーした控えまたは携帯電話に一時保存したバーコードを表示して端末装置８に備えられた光学的読取装置によってバーコードを読取らせ取引番号を入力する。
【００８９】
なお、入力画面に第１実施の形態例と同様にテンキー等の入力ボタン等を表示して購入者の手入力を共に受付けられるようにしてもよい。
Ｓ５３、取引番号を読取った端末装置８は、その画面にパスワードの入力を促す旨を表示した入力画面を表示する。
この入力画面には、テンキーやアルファベット文字等の入力ボタンとパスワードの入力欄等が表示される。
【００９０】
購入者は、記憶または控え等によって入力画面からパスワードを入力する。
Ｓ５４、パスワードの入力を認識した端末装置８は振込取引に必要な情報を取得する。
すなわち、端末装置８は取引番号とパスワードを上位装置６へ送信し、これを受信した上位装置６は取引番号を基に販売予約ファイル１５を検索して該当する取引番号を抽出し、これに対応して登録されている振込人情報のパスワードを受信したパスワードと照合して不一致の場合はその旨を端末装置８へ送信する。
【００９１】
パスワードが一致した場合はその旨と取引番号に対応する振込人情報と振込先情報および振込手数料を端末装置８へ送信する。
この時、取引番号に該当する商品情報や決済状況等を添付して返信するようにしてもよい。
Ｓ５５、上位装置６からの送信を受けた端末装置８は、パスワードが一致している場合はステップＳ５７へ、不一致の場合は処理を拒否して処理を終了し、ステップＳ５１へ戻って初期画面を表示して待機する。
【００９２】
その後のステップＳ５６〜Ｓ６２の作動は、上記第１実施の形態例のステップＳ１４〜Ｓ２０の作動と同様であるので、その説明を省略する。
Ｓ６３、第１実施の形態例のステップＳ２１と同様にして現金による商品代金の支払の実行が行われ、上位装置６は商品販売業者の口座への入金が終了すると、現金による振込決済が終了した旨を端末装置８へ送信する一方、販売予約ファイル１５に格納されている取引番号に対応させて登録された購入予約の決済状況を「決済済」に更新する。このようにして決済状況が収集される。
【００９３】
Ｓ６４、第１実施の形態例のステップＳ２２と同様にしてカードによる商品代金の支払の実行が行われ、上位装置６は入金が終了すると、カードによる振込決済が終了した旨を端末装置８へ送信する一方、販売予約ファイル１５に格納されている取引番号に対応させて登録された購入予約の決済状況を「決済済」に更新する。このようにして決済状況が収集される。
【００９４】
なお、購入者の残高が振込金額等に満たない場合は、取引不可としてその旨を端末装置８へ送信する。
その後のステップＳ６５、Ｓ６６の作動は、上記第１実施の形態例のステップＳ２３、Ｓ２４の作動と同様であるので、その説明を省略する。
このようにして、振込決済による代金支払処理が行われる。
【００９５】
振込決済による代金支払処理の終了後、上位装置６は商品販売業者の管理サーバ４へ取引番号と共に商品代金の振込決済が終了した旨を決済終了通知として通知する。
この場合に、ステップＳ５９で振込人情報や商品情報の内容が修正されている場合は、その内容も合わせて通知する。
【００９６】
また、販売予約ファイル１５に格納されている取引番号に対応させて登録された振込人情報や振込先情報、商品情報、決済状況等の内容は、商品販売業者による個々、複数もしくは全ての消去指示によって消去され、販売予約ファイル１５が更新される。
なお、販売予約ファイル１５に格納されている取引番号に対応させて登録された内容を決済終了通知を受信した以降、直ちにもしくは一定期間経過後に自動的に第１実施の形態例と同様にして消去するようにしてもよい。
【００９７】
このように、本実施の形態においては、第１実施の形態例の効果に加えて、金融機関の上位装置が取引番号に対応させた購入予約を保有するようにしたことによって、管理サーバとの通信時間が省略でき、端末装置の振込決済の処理効率を更に向上することができると共に、通信回線の故障等による処理の中止を回避して円滑な商品代金の振込決済を行うことができ、購入者の利便性を向上することができる。
【００９８】
また、取引番号を記述したバーコードを発行し、商品代金の振込決済を行う際に、これを端末装置の光学的読取装置で読取って取引番号を入力するようにしたことによって、取引番号の入力の自動化を図ることができ、入力ミスの防止効果を更に高めることができる。
更に、パスワードを設定するようにしたことによって、購入予約の際に入力した購入者情報の他人への漏洩を防止することが可能となる。
【００９９】
更に、パスワードを購入者が自ら設定するようにしたことによって、購入者情報の漏洩の防止効果を強固なものとすることができる。
更に、パスワードを商品販売業者が設定して交付するようにしたことによって、購入者のパスワードの入力が省略でき、商品代金決済システムの簡素化を図ることができると共に購入者の利便性を図ることができる。
【０１００】
更に、パスワードを購入者の電話番号とすることによって、購入者のパスワードの入力が省略でき、商品代金決済システムの簡素化を図ることができると共に購入者がパスワードを失念することを防止することができる。
なお、ステップＳ５２において、光学的読取装置はバーコードを読取るとして説明したが、文字認識機能を備えるようにして控えやメモ等に記載された文字による取引番号を読取るようにしてもよい。これによって、購入者の利便性を更に高めることができる。
【０１０１】
また、ステップＳ５５において、パスワードが不一致の場合は処理を拒否するとして説明したが、第１実施の形態例の他の態様で説明したように振込先情報をステップＳ３８で取引番号等と共に通知しておき、パスワードが不一致の時には通知された振込先情報によって、通常の振込取引に切替えて振込決済を行うようにし、上位装置が同様にして決済終了通知を管理サーバへ通知するようにしてもよい。また、この場合に端末装置が振込人氏名と振込金額を取得して自動入力するようにしてもよい。
【０１０２】
これによって、パスワードを失念した購入者の利便性を図ることができる。
第４実施の形態例
図８は本発明の第４実施の形態を示すブロック図である。
なお、上記第１実施の形態例と同様の部分は、同一の符号を付してその説明を省略する。
【０１０３】
２１は個別入金口座ファイルであり、金融機関の上位装置６に設けられた商品販売業者名義の振込決済用の口座ファイルであり、商品販売業者において同時に発生する商品の購入予約の件数を満たす程度の数の個別入金口座が開設されている。
この個別入金口座には、その各々に商品販売業者とその金融機関が特定でき、かつ個別入金口座間の区別が可能な個別入金口座番号が設定されており、振込人情報や振込先情報、決済状況等が個別入金口座番号に対応させて登録可能なように構成されている。
【０１０４】
上記の構成の作用について、図９および図１０に示すフローチャートを用い、Ｓで示すステップに従って説明する。
なお、商品販売業者は、その口座を管理する金融機関と本実施の形態の商品代金決済システムに関する契約を行い、金融機関の上位装置６は商品販売業者名義の複数の個別入金口座を管理している。
【０１０５】
また、商品販売業者のウェブサーバ２は、金融機関から供給された個別入金口座番号を管理している。
図９は、購入者がインターネットによって商品販売業者から商品を購入する場合の購入予約処理を示すフローチャートである。
ステップＳ７１〜Ｓ７５の作動は、上記第１実施の形態例のステップＳ１〜Ｓ５の作動と同様であるので、その説明を省略する。
【０１０６】
Ｓ７６、振込決済が選択されたことを認識したウェブサーバ２は、管理している未使用の個別入金口座番号から選定して後日に購入者が店舗に設置された端末装置８によって振込決済を行う場合に用いる個別入金口座番号を付与する。
Ｓ７７、個別入金口座番号の付与を終えたウェブサーバ２は、振込決済による購入予約を受付けた旨、付与した個別入金口座番号および購入者情報や商品情報等を表示したウェブページを接続端末１の画面に表示して取引番号と共に購入予約の受付内容を購入者に通知する。
【０１０７】
購入者は取引内容のプリント機能による出力あるいは表示された接続端末１の画面のハードコピー等によって個別入金口座番号等の控えを作成する。
なお、この個別入金口座番号は、接続端末１等によって購入した商品の照会や取消等を行う場合にも使用される。
Ｓ７８、購入予約の受付内容の通知を終えたウェブサーバ２は、個別入金口座番号、商品代金、商品情報および購入者情報をＬＡＮ等で接続している管理サーバ４へ送付する。
【０１０８】
この送付を受けた管理サーバ４は、商品代金を振込金額としてこれと購入者情報とによって振込人情報を作成し、これと商品情報とを個別入金口座番号に対応させて購入予約ファイル５に格納して購入予約を仮登録する。
Ｓ７９、上記第１実施の形態例のステップＳ９の作動と同様であるので、その説明を省略する。
【０１０９】
Ｓ８０、管理サーバ４は、購入者の確認応答を認識したときに、購入予約ファイル５の振込決済のための購入予約の内容を確定し、該当する振込人情報に個別入金口座番号と振込先情報を添付して随時または定期的に通信回線９を経由して金融機関の上位装置６へ送信する。
これを受信した上位装置６は、受信した振込人情報と振込先情報を個別入金口座番号に対応させ、「決済未」とした決済状況を追加して個別入金口座ファイル２１に格納して登録すると共に、管理サーバ４に対して振込決済のための購入予約の受付を完了した旨の着信応答を送信する。
【０１１０】
Ｓ８１、上位装置６からの着信応答を受信した管理サーバ４は、その内容を確認して購入予約処理を終了させる。
このようにして商品の購入予約が上位装置６に登録される。
図１０は、上記のようにして商品の購入予約を行った購入者が、店舗に設置された端末装置８を用いて商品代金の振込決済を行う場合の代金支払処理を示すフローチャートである。
【０１１１】
Ｓ９１、上記第１実施の形態例のステップＳ１１の作動と同様であるので、その説明を省略する。
Ｓ９２、「代金支払」ボタンが選択されたことを認識した端末装置８は、その画面に個別入金口座番号の入力画面を表示する。
この入力画面には、テンキーやアルファベット文字等の入力ボタンと個別入金口座番号の入力欄等が表示される。
【０１１２】
購入者は、控え等によって入力画面から個別入金口座番号を入力する。
Ｓ９３、個別入金口座番号の入力を認識した端末装置８は振込取引に必要な情報を取得する。
すなわち、端末装置８は認識した個別入金口座番号を上位装置６へ送信し、これを受信した上位装置６は個別入金口座番号を基に個別入金口座ファイル２１を検索して該当する個別入金口座番号を抽出し、これに対応して登録されている振込人情報と振込先情報に振込手数料を添付して端末装置８へ送信する。
【０１１３】
この時、上位装置６は個別入金口座番号によって商品販売業者を特定し、その商品販売業者の管理サーバ４へ通信回線９を介して個別入金口座番号を添付した商品情報送付依頼を送信し、商品情報を取得してこれを添付して送信するようにしてもよく、決済状況等を添付して送信するようにしてもよい。
その後のステップＳ９４〜Ｓ１００の作動は、上記第１実施の形態例のステップＳ１４〜Ｓ２０の作動と同様であるので、その説明を省略する。
【０１１４】
Ｓ１０１、第１実施の形態例のステップＳ２１と同様にして現金による商品代金の支払の実行が行われ、端末装置８は投入された現金を収納して釣銭を排出する一方、端末装置８は個別入金口座番号に商品代金の支払が現金で行われた旨を添付して上位装置６へ送信する。
これを受信した上位装置６は、添付されている個別入金口座番号から個別入金口座ファイル２１の該当する個別入金口座を特定し、その口座へ振込金額を入金する一方、個別入金口座の決済状況を「決済済」に更新する。このようにして決済状況が収集される。
【０１１５】
この入金が終了すると、上位装置６は現金による振込決済が終了した旨を端末装置８へ送信する。
Ｓ１０２、第１実施の形態例のステップＳ２２と同様にしてカードによる商品代金の支払の実行が行われ、購入者の暗証番号の入力が終了すると、端末装置８は個別入金口座番号にカード情報と暗証番号を添付して上位装置６へ送信する。
【０１１６】
これを受信した上位装置６は、カード情報と暗証番号から顧客情報ファイル７の該当する購入者の口座を、添付されている個別入金口座番号から個別入金口座ファイル２１の該当する個別入金口座を特定し、購入者の口座から振込金額と振込手数料を引落し、振込金額を個別入金口座へ入金する一方、個別入金口座の決済状況を「決済済」に更新する。このようにして決済状況が収集される。
【０１１７】
この入金が終了すると、上位装置６はカードによる振込決済が終了した旨を端末装置８へ送信する。
なお、購入者の残高が振込金額等に満たない場合は、取引不可としてその旨を端末装置８へ送信する。
その後のステップＳ１０３、Ｓ１０４の作動は、上記第１実施の形態例のステップＳ２３、Ｓ２４の作動と同様であるので、その説明を省略する。
【０１１８】
このようにして、振込決済による代金支払処理が行われる。
振込決済による代金支払処理の終了後、上位装置６は商品販売業者の管理サーバ４へ個別入金口座番号と共に商品代金の振込決済が終了した旨を決済終了通知として通知する。
この場合に、ステップＳ９７で振込人情報や商品情報の内容が修正されている場合は、その内容も合わせて通知する。
【０１１９】
また、個別入金口座ファイル２１に格納されている個別入金口座番号に対応させて登録された振込人情報や振込先情報、商品情報、決済状況等の内容は、振込まれた商品代金を改めて商品販売業者が金融機関に開設している口座に振替えた後に、商品販売業者による個々、複数もしくは全ての消去指示によって消去され、個別入金口座ファイル２１が更新される。
【０１２０】
なお、個別入金口座ファイル２１に格納されている個別入金口座番号に対応させて登録された内容を決済終了通知を受信した以降、直ちにもしくは一定期間経過後に自動的に振込まれた商品代金を改めて商品販売業者が金融機関に開設している口座に振替えた後に第１実施の形態例と同様にして消去するようにしてもよい。
【０１２１】
以上のように、本実施の形態の個別入金口座番号は、上記各実施の形態例の取引番号と同様の機能を発揮する。
このように、本実施の形態においては、第１実施の形態例の効果に加えて、一時的に購入者が専用に使用する振込先口座として購入者毎に個別入金口座を設けるようにしたことによって、顧客情報ファイルを検索して商品販売業者の口座を特定する必要がなくなり、振込決済の処理効率を一層向上することができる。
【０１２２】
なお、ステップＳ８０において、管理サーバが振込人情報を上位装置へ送信する際に商品情報を追加して送信し、上位装置がこれを共に格納して登録するようにし、端末装置に光学的読取装置を備えるようにすれば、上記第３実施の形態例と同様の作動を行うことができ、第３実施の形態例の効果に前記の効果を付加することができる。
【０１２３】
この場合に、図８において販売予約ファイルは、第３実施の形態例と同様に個別入金口座番号に対応させて別に設けるようにしてもよく、個別入金口座ファイルの個別入金口座番号に対応させて登録した購入予約に商品情報を追加して格納するようにしてもよい。
または、個別入金口座ファイルには振込取引に必要な情報のみ登録し、その他の情報を販売予約ファイルに個別入金口座番号に対応させて格納するようにしてもよい。
【０１２４】
更になお、第２実施の形態例の代行回収業者の回収サーバを管理サーバと上位装置の間に介在させるようにしてもよい。
第５実施の形態例
図１１は本発明の第５実施の形態を示すブロック図である。
なお、上記第１実施の形態例と同様の部分は、同一の符号を付してその説明を省略する。
【０１２５】
３１は取次装置であり、商品販売業者の口座を管理する金融機関以外の他の金融機関またはコンビニエンスストア等の取次業者に設置されたホストコンピュータであり、商品販売業者の口座を管理する金融機関の上位装置６および取次業者が管理する端末装置８と接続している。
上記の構成の作用について説明する。
【０１２６】
本実施の形態においては、取次業者は商品販売業者の口座を管理する金融機関と提携してホストコンピュータ間を相互に接続する通信ネットワークを構築している。
また、商品販売業者は、その口座を管理する金融機関と本実施の形態の商品代金決済システムに関する契約を行い、取引番号を発行した商品販売業者を特定するための商品販売業者の業者コードや管理サーバ４のＩＰアドレス、口座番号等が予め金融機関の上位装置６に登録されている。
【０１２７】
本実施の形態では、取引番号として商品販売業者の業者コードと商品販売業者の口座を管理する金融機関の金融機関コードと取引通番で構成された取引番号が用いられる。
購入者がインターネットによって商品販売業者から商品を購入する場合の作動は、上記第１実施の形態例と同様であるのでその説明を省略する。
【０１２８】
図１２は、商品の購入予約を行った購入者が、取次業者の店舗に設置された端末装置８を用いて商品代金の振込決済を行う場合の代金支払処理を示すフローチャートである。
ステップＳ１１１、Ｓ１１２の作動は、上記第１実施の形態例のステップＳ１１、Ｓ１２の作動と同様であるので、その説明を省略する。
【０１２９】
Ｓ１１３、取引番号の入力を認識した端末装置８は振込取引に必要な情報を取得する。
すなわち、端末装置８は認識した取引番号を取次装置３１へ送信する。
取次装置３１は受信した取引番号から金融機関コードを抽出し、その金融機関の上位装置６へ取引番号を転送する。これを受信した上位装置６は取引番号に含まれる業者コードを基に予め登録されている業者コードを参照して商品販売業者を特定し、その商品販売業者の管理サーバ４へ通信回線９を介して取引番号を添付した振込必要情報送付依頼を送信する。
【０１３０】
振込必要情報送付依頼を受信した管理サーバ４は、添付されている取引番号を基に購入予約ファイル５を検索して該当する取引番号を抽出し、これに対応して登録されている振込人情報に振込先情報を添付して通信回線９を介して上位装置６へ返信する。
この時、該当する商品情報を添付して返信するようにしてもよく、決済状況を添付して返信するようにしてもよい。
【０１３１】
取引番号に該当する振込人情報等の返信を受けた上位装置６は、これを取次装置３１へ転送し、転送を受けた取次装置３１は転送された振込人情報等に振込手数料を添付して端末装置８へ送信する。
なお、振込手数料は端末装置８が計算するようにしてもよい。
その後のステップＳ１１４〜Ｓ１２０の作動は、上記第１実施の形態例のステップＳ１４〜Ｓ２０の作動と同様であるので、その説明を省略する。
【０１３２】
Ｓ１２１、第１実施の形態例のステップＳ２１と同様にして現金による商品代金の支払の実行が行われ、端末装置８は投入された現金を収納し、釣銭を排出する一方、取引番号に商品代金の支払が現金で行われた旨、自動入力した振込取引に必要な情報等を添付して取次装置３１へ送信する。
これを受信した取次装置３１は、添付されている振込先情報から商品販売業者の口座を管理する金融機関を特定し、取引番号に商品代金の支払が現金で行われた旨および振込先情報を添付して上位装置６へ送信する。
【０１３３】
これを受信した上位装置６は、添付されている振込先情報から顧客情報ファイル７の該当する商品販売業者の口座を特定し、その口座へ振込金額を入金する。
この入金が終了すると、上位装置６は入金処理が終了した旨を取次装置３１へ送信し、これを受信した取次装置３１は現金による振込決済が終了した旨を端末装置８へ送信する。
【０１３４】
Ｓ１２２、第１実施の形態例のステップＳ２２と同様にしてカードによる商品代金の支払の実行が行われ、購入者の暗証番号の入力が終了すると、端末装置８は取引番号にカード情報と暗証番号および自動入力した振込取引に必要な情報等を添付して取次装置３１へ送信する。
これを受信した取次装置３１は、カード情報から購入者の口座を管理する金融機関を特定し、その金融機関のホストコンピュータへ購入者のカード情報と暗証番号、振込先情報および取引番号を送信して振込依頼を行う。
【０１３５】
振込依頼を受信した購入者の口座を管理する金融機関のホストコンピュータは、受信したカード情報と暗証番号から該当する購入者の口座を特定して購入者の口座の残高の過不足を判定する。
この時、購入者の口座の残高が振込金額と振込手数料に満たない場合は、取引不可としてその旨を取次装置３１へ送信し、取次装置３１はこれを端末装置８へ転送する。
【０１３６】
購入者の口座の残高が振込金額等を満たしている場合は、その口座から振込金額等を引落し、添付されている振込先情報を基に商品販売業者の口座を管理する金融機関の上位装置６へ振込先情報、振込人情報、振込金額および取引番号を送信して入金依頼を行う。
入金依頼を受信した上位装置６は、顧客情報ファイル７の該当する商品販売業者の口座を特定し、依頼された振込金額を商品販売業者の口座へ入金する。
【０１３７】
この入金が終了すると、上位装置６は入金処理が終了した旨を入金依頼を受けた金融機関のホストコンピュータへ送信し、これを受信したホストコンピュータは、購入者の口座の引落しを確定すると共に振込処理が終了した旨を取次装置３１へ送信し、これを受信した取次装置３１はカードによる振込決済が終了した旨を端末装置８へ送信する。
【０１３８】
その後のステップＳ１２３、Ｓ１２４の作動は、上記第１実施の形態例のステップＳ２３、Ｓ２４の作動と同様であるので、その説明を省略する。
このようにして、振込決済による代金支払処理が行われる。
振込決済による代金支払処理の終了後、上位装置６は商品販売業者の管理サーバ４へ取引番号と共に商品代金の振込決済が終了した旨を決済終了通知として通知する。
【０１３９】
その後の決済状況および購入予約ファイル５の更新の作動は、上記第１実施の形態例と同様であるので、その説明を省略する。
このように、本実施の形態においては、第１実施の形態例の効果に加えて、取次業者を介在させることによって、商品販売業者の口座を管理する金融機関と接続している端末装置に限らず多くの金融機関やコンビニエンスストア等に設置されている端末装置から商品代金の振込決済を行うことが可能となり、購入者の利便性を一層向上することができると共に購入者の支出の最小化を支援することが可能となる。
【０１４０】
このことは、コンビニエンスストア等の取次業者の手数料収入の増加にも貢献することができる。
また、取引番号の構成要素として商品販売業者の口座を管理する金融機関の金融機関コードを加えることによって、商品販売業者の口座を管理する金融機関の特定を容易に行うことができ、振込決済の処理効率を向上することができる。
【０１４１】
なお、取引番号を取扱うことができない金融機関等の取次業者や通信回線の故障等によって端末装置が振込先情報や振込人情報を取得できない場合は、上記第１実施の形態例の他の態様で説明したのと同様にして、購入者が使用した端末装置によって通常の振込取引を行い、その取引の結果が上位装置に入金依頼として送信されたときに上位装置が送信された振込先情報によって商品販売業者を特定し、この商品販売業者と本商品代金決済システムの契約が行われているか否かを判断して契約が行われている場合には、上位装置から決済終了通知を送信するようにする。
【０１４２】
これによって更に多くの金融機関やコンビニエンスストアとの連携が可能となる。
また、本実施の形態は、上記の他の実施の形態例に適用すれば、その実施の形態の効果に前記の効果を付加することができる。
上記の各実施の形態例においては、接続端末は購入者が使用するパーソナルコンピュータとして説明したが、店舗に設置されているマルチメディア端末やＡＴＭ等の情報端末、携帯電話や携帯情報端末等のモバイル端末等のインターネットに接続可能なものであれば、どのようなものであってもよい。
【０１４３】
また、振込決済は店舗に設置された端末装置を用いて行うとして説明したが、購入者が使用するパーソナルコンピュータや携帯電話等によるインターネットバンキング等によって上記と同様にして振込決済を行うようにしてもよい。これによって購入者の利便性を更に向上することができる。
更に、商品の購入はインターネットによって行うとして説明したが、カタログによる通信販売、テレフォンショッピング等による商品の購入や公共料金等のサービスの提供に対する代金の支払を行う場合にも、本商品代金決済システムを適用することができる。
【０１４４】
この場合に、テレフォンショッピング等の電話や郵便による商品の購入予約に対しては、郵便やメールによって取引番号やそのバーコードを購入者に通知するようにする。
更に、商品を購入予約し、商品代金を先払いする場合を例にして説明したが、サービスを享受した場合や代金後払いで商品を購入した場合等の商品代金の後払いの場合も同様である。この場合に商品情報の修正における送付先の修正は行う必要がないため、修正入力画面には表示しない、または修正を行うことができないようにする。
【０１４５】
更に、取引通番は購入予約がなされた順序を表すとして説明したが、順序によらず重複を避けて無作為に付与するようにしてもよく、購入予約ファイルの更新後に購入予約が消去された取引通番を再度用いるようにしてもよい。
【０１４６】
【発明の効果】
以上述べたように、本発明は、商品販売業者が取引番号を通知し、購入者が振込決済を行うときに端末装置が取引番号によって振込人情報と振込先情報を取得するようにし、購入者は取引番号のみを入力して許諾を与えれば端末装置が自動的に振込決済を実行するようにしたことによって、振込決済の入力に要する時間を省略でき、端末装置の振込決済の処理効率を向上することができるという効果が得られる。
【図面の簡単な説明】
【図１】第１実施の形態を示すブロック図
【図２】第１実施の形態の購入予約処理を示すフローチャート
【図３】第１実施の形態の代金支払処理を示すフローチャート
【図４】第２実施の形態を示すブロック図
【図５】第３実施の形態を示すブロック図
【図６】第３実施の形態の購入予約処理を示すフローチャート
【図７】第３実施の形態の代金支払処理を示すフローチャート
【図８】第４実施の形態を示すブロック図
【図９】第４実施の形態の購入予約処理を示すフローチャート
【図１０】第４実施の形態の代金支払処理を示すフローチャート
【図１１】第５実施の形態を示すブロック図
【図１２】第５実施の形態の代金支払処理を示すフローチャート
【符号の説明】
１　　接続端末
２　　ウェブサーバ
３　　コンテンツファイル
４　　管理サーバ
５　　購入予約ファイル
６　　上位装置
７　　顧客情報ファイル
８　　端末装置
９　　通信回線
１１　回収サーバ
１２　回収情報ファイル
１５　販売予約ファイル
２１　個別入金口座ファイル
３１　取次装置
【図１】
2004086429.tif 000003
【図２】
2004086429.tif 000004
【図３】
2004086429.tif 000005
【図４】
2004086429.tif 000006
【図５】
2004086429.tif 000007
【図６】
2004086429.tif 000008
【図７】
2004086429.tif 000009
【図８】
2004086429.tif 000010
【図９】
2004086429.tif 000011
【図１０】
2004086429.tif 000012
【図１１】
2004086429.tif 000013
【図１２】
2004086429.tif 000014